(57)【要約】【課題】操作者の意図した操作を行うことができる。【解決手段】複数の音源からの音声を再生する音声再生装置の音量を制御するための操作子の操作状態を判定する操作状態判定部と、前記操作状態判定部により判定された操作状態に基づいて、前記音声再生装置により再生されている音源に応じて前記操作子による音量の制御対象を変更する制御部と、を備え、前記制御部は、前記操作状態判定部により前記操作子の操作が継続して行われていると判定されている間において、前記再生される音源が変更された場合であっても前記操作子の操作による音量の制御対象の切り替えを禁止する音響システムである。【選択図】図１
2019047161.tif 000002
【特許請求の範囲】
【請求項１】
複数の音源からの音声を再生する音声再生装置の音量を制御するための操作子の操作状態を判定する操作状態判定部と、
前記操作状態判定部により判定された操作状態に基づいて、前記音声再生装置により再生されている音源に応じて前記操作子による音量の制御対象を変更する制御部と、を備え、
前記制御部は、前記操作状態判定部により前記操作子の操作が継続して行われていると判定されている間において、前記再生される音源が変更された場合であっても前記操作子の操作による音量の制御対象の切り替えを禁止する、
音響システム。
【請求項２】
前記音源は、所定のメディアの音声と所定の機器による案内の音声とを含み、
前記制御部は、前記メディアの音声と前記案内の音声とが同時に再生されている状態において前記操作状態判定部により前記操作子の操作が開始されたと判定された場合には、前記制御対象として前記案内の音声を優先し、前記メディアの音声のみまたは前記案内の音声のみが再生されている状態において前記操作状態判定部により前記操作子の操作が開始されたと判定された場合には、前記制御対象として前記再生されている音声を優先する、
請求項１に記載の音響システム。
【請求項３】
前記制御部は、前記操作状態判定部により前記操作子の操作が中断したときから第１の所定時間が経過するまでの間は、前記操作子の操作が継続していると判定する、
請求項１または請求項２に記載の音響システム。
【請求項４】
前記音源は、所定のメディアの音声と所定の機器による案内の音声とを含み、
前記制御部は、前記案内の音声の再生中に前記操作状態判定部により前記操作子の操作が開始されたと判定され、且つ前記操作子の操作が継続して行われている間に前記案内の音声が終了したと判定した場合において、前記案内の音声の終了から第２の所定時間が経過するまでは前記案内の音声および前記メディアの音声に対する音量の制御を禁止し、前記案内の音声の終了から前記第２の所定時間が経過した後は、前記操作状態判定部により前記操作子の操作が中断していないと判定されている場合であっても前記制御対象の切り替えの禁止を解除する、
請求項１から３のうちいずれか１項に記載の音響システム。
【請求項５】
前記制御部は、前記メディアの音声の音量制御中に前記案内の音声の割り込みが発生したと判定した場合、前記操作状態判定部により前記操作子の操作が継続して行われていると判定されている間は、前記案内の音声の出力を待機させる、
請求項２に記載の音響システム。
【請求項６】
前記制御部は、発生した案内の音声の優先度に応じて前記案内の音声を待機させるか否かを選択する、
請求項５に記載の音響システム。
【請求項７】
コンピュータが、
複数の音源からの音声を再生する音声再生装置の音量を制御するための操作子の操作状態を判定し、
前記判定された操作状態に基づいて、前記音声再生装置により再生されている音源に応じて前記操作子による音量の制御対象を変更し、
前記操作子の操作が継続して行われていると判定されている間において、前記再生される音源が変更された場合であっても前記操作子の操作による音量の制御対象の切り替えを禁止する、
音量調整方法。
【発明の詳細な説明】
【技術分野】
【０００１】
本発明は、音響システム、および音量調整方法に関する。
【背景技術】
【０００２】
従来、オーディオが再生されている際、この再生音量の調整操作中に案内音声が出力されると、調整操作の対象は案内音声の音量に切り替える装置が開示されている（例えば、特許文献１参照）。
【先行技術文献】
【特許文献】
【０００３】
【特許文献１】特開２０１１−１４９８５２号公報
【発明の概要】
【発明が解決しようとする課題】
【０００４】
特許文献１の装置は、調整操作の対象の切り替えが適切なタイミングで行われているとは限らず、操作者の意図とは異なる制御が行われてしまう場合があった。
【０００５】
本発明は、このような事情を考慮してなされたものであり、操作者の意図した操作を行うことができる音響システム、および音量調整方法を提供することを目的の一つとする。
【課題を解決するための手段】
【０００６】
（１）：複数の音源からの音声を再生する音声再生装置の音量を制御するための操作子の操作状態を判定する操作状態判定部と、前記操作状態判定部により判定された操作状態に基づいて、前記音声再生装置により再生されている音源に応じて前記操作子による音量の制御対象を変更する制御部と、を備え、前記制御部は、前記操作状態判定部により前記操作子の操作が継続して行われていると判定されている間において、前記再生される音源が変更された場合であっても前記操作子の操作による音量の制御対象の切り替えを禁止する音響システムである。
【０００７】
（２）：（１）であって、前記音源は、所定のメディアの音声と所定の機器による案内の音声（例えば、実施形態における「割込み音声」）とを含み、前記制御部は、前記メディアの音声と前記案内の音声とが同時に再生されている状態において前記操作状態判定部により前記操作子の操作が開始されたと判定された場合には、前記制御対象として前記案内の音声を優先し、前記メディアの音声のみまたは前記案内の音声のみが再生されている状態において前記操作状態判定部により前記操作子の操作が開始されたと判定された場合には、前記制御対象として前記再生されている音声を優先するものである。
【０００８】
（３）：（１）または（２）であって、前記制御部は、前記操作状態判定部により前記操作子の操作が中断したときから第１の所定時間が経過するまでの間は、前記操作子の操作が継続していると判定するものである。
【０００９】
（４）：（１）から（３）であって、前記音源は、所定のメディアの音声と所定の機器による案内の音声とを含み、前記制御部は、前記案内の音声の再生中に前記操作状態判定部により前記操作子の操作が開始されたと判定され、且つ前記操作子の操作が継続して行われている間に前記案内の音声が終了したと判定した場合において、前記案内の音声の終了から第２の所定時間が経過するまでは前記案内の音声および前記メディアの音声に対する音量の制御を禁止し、前記案内の音声の終了から前記第２の所定時間が経過した後は、前記操作状態判定部により前記操作子の操作が中断していないと判定されている場合であっても前記制御対象の切り替えの禁止を解除するものである。
【００１０】
（５）：（２）であって、前記制御部は、前記メディアの音声の音量制御中に前記案内の音声の割り込みが発生したと判定した場合、前記操作状態判定部により前記操作子の操作が継続して行われていると判定されている間は、前記案内の音声の出力を待機させるものである。
【００１１】
（６）：（５）であって、前記制御部は、発生した案内の音声の優先度に応じて前記案内の音声を待機させるか否かを選択するものである。
【００１２】
（７）：コンピュータが、複数の音源からの音声を再生する音声再生装置の音量を制御するための操作子の操作状態を判定し、前記判定された操作状態に基づいて、前記音声再生装置により再生されている音源に応じて前記操作子による音量の制御対象を変更し、前記操作子の操作が継続して行われていると判定されている間において、前記再生される音源が変更された場合であっても前記操作子の操作による音量の制御対象の切り替えを禁止する音量調整方法である。
【発明の効果】
【００１３】
（１）、（２）、または（７）によれば、操作子の操作が継続して行われていると判定されている間において、再生される音源が変更された場合であっても操作子の操作による音量の制御対象の切り替えを禁止することにより、操作者の意図した操作を行うことができる。
【００１４】
（３）によれば、より確実に操作者の意図した音量の調整を行うことができる。例えば、操作子が押下式のボタン等である場合、操作者が意図していない場合においても押下あされている状態が継続する場合があるが、このような場合であっても、より確実に操作者の意図した音量の調整を行うことができる。
【００１５】
（４）によれば、第２の所定時間が経過するまでは音声に対する音量の制御を禁止し、第２の所定時間が経過した後は、制御対象の切り替えの禁止を解除することにより、操作者の意図しない音量の調整を低減しつつ、操作者の意図した音量の調整を行うことができる。
【００１６】
（５）によれば、案内の音声の出力を待機させることにより、操作者は好適なタイミングで案内の音声を聞くことができる。
【００１７】
（６）によれば、優先度が低い案内の音声に比して優先度が高い案内の音声は優先的に出力され、優先度が低い案内の音声は待機するように制御されるため、操作者はより好適なタイミングで案内の音声を聞くことができる。
【図面の簡単な説明】
【００１８】
【図１】音響システム１の機能構成を示す図である。
【図２】音声の出力および操作部９２の操作の変化を示す図である。
【図３】音声の出力および操作部９２の操作の変化を示す図である。
【図４】比較例の音声の出力および操作部９２の操作の変化を示す図である。
【図５】音響システム１により実行される処理の流れを示すフローチャートである。
【図６】第２実施形態の音響システム１により実行される処理の流れを示すフローチャートである。
【発明を実施するための形態】
【００１９】
以下、図面を参照し、本発明の音響システム、および音量調整方法の実施形態について説明する。
【００２０】
＜第１実施形態＞
図１は、音響システム１の機能構成を示す図である。音響システム１は、車両に搭載され、乗員の操作や車両の状態に基づいて音声を乗員に提供する。車両は、二輪や、三輪、四輪等の車両を含む。
【００２１】
音響システム１は、例えば、オーディオ部１０と、ナビ音声部５０と、出力制御部８０と、スピーカ８２と、制御装置９０とを備える。
【００２２】
［オーディオ部］
オーディオ部１０は、例えば、音源部２０と、音源選択部３０と、音量調整部３２とを備える。音源部２０は、例えば、ＡＭラジオチューナ２１と、ＦＭラジオチューナ２２と、ＣＤ／ＤＶＤプレーヤ２３と、メモリオーディオプレーヤ２４と、無線オーディオ２５とを含む。音源部２０は、上記の各チューナや、プレーヤに加え（または代えて）、その他のチューナやプレーヤを備えてもよい。
【００２３】
ＡＭラジオチューナ２１は、例えば、ＡＭラジオの周波数帯の放送を受信し、受信した放送の内容を音声選択部３０に出力する。ＦＭラジオチューナ２２は、例えば、ＦＭラジオの周波数帯の放送を受信し、受信した放送の内容を音声選択部３０に出力する。ＣＤ／ＤＶＤプレーヤ２３は、例えば、ＣＤ／ＤＶＤプレーヤ２３に挿入されたＣＤまたはＤＶＤに記憶されたコンテンツを読み出して、読み出したコンテンツのデータを音声選択部３０に出力する。
【００２４】
メモリオーディオプレーヤ２４は、例えば、車両に設けられた通信インターフェースに接続された電気線を介して、メモリオーディオと通信する。メモリオーディオプレーヤ２４は、メモリオーディオにより出力されたデータを取得し、取得したデータを音声選択部３０に出力する。
【００２５】
無線オーディオ２５は、例えば、近距離無線通信を用いて、所定のスマートフォンや、音楽再生装置などの携帯端末装置と通信する。近距離無線通信は、例えばBluetooth（登録商標）などの無線通信規格を用いた通信である。無線オーディオ２５は、近距離無線通信を介して携帯端末装置により出力されたデータを取得し、取得したデータを音声選択部３０に出力する。
【００２６】
音源選択部３０は、音源部２０により出力される音源の内から、制御装置９０の操作部９２に対する乗員の操作によって選択された音源を選択する。音量調整部３２は、音源選択部３０により選択された音源の音量を、操作部９２に対する乗員の操作に応じて設定し、設定した音源のデータを出力制御部８０に出力する。以下、オーディオ部１０に出力される音声を、「メディア音声」と称する。
【００２７】
［ナビ音声部］
ナビ音声部５０は、例えば、割込み音声出力部６０と、音量設定部７０と、調整部７２とを備える。
【００２８】
割込み音声出力部６０は、例えば、誘導案内音声提供部６１と、ＥＴＣ（Electronic Toll Collection system）音声提供部６２とを備える。割込み音声出力部６０は、制御装置９０の制御に基づいて、所定の音声をスピーカ８２に出力させる。なお、割込み音声出力部６０は、上記の誘導案内音声提供部６１、またはＥＴＣ音声提供部６２に加え（または代えて）、その他の音声提供部を備えてもよい。その他の音声提供部とは、例えば、安全運転支援に関するアドバイスを示す音声を提供する音声提供部である。
【００２９】
誘導案内音声提供部６１は、車両に搭載された不図示のナビゲーション装置の指示に基づいて、所定の誘導音声を、出力制御部８０に出力する。所定の誘導音声とは、例えば、車両の乗員に目的地までの経路を誘導する音声である。
【００３０】
ＥＴＣ音声提供部６２は、車両に搭載された不図示のＥＴＣ車載機器の指示に基づいて、所定のＥＴＣ音声を、出力制御部８０に出力する。所定のＥＴＣ音声とは、例えば、車両の乗員にＥＴＣの利用料金等を通知する音声である。
【００３１】
音量設定部７０は、操作部９２に対する乗員の操作に応じて割込み音声出力部６０により出力される音声の音量を設定する。調整部７２は、割込み音声出力部６０により出力され、且つ音量設定部７０により音量が設定された音声のデータを出力制御部８０に出力する。以下、ナビ音声部５０に出力される案内の音声を、「割込み音声」と称する。
【００３２】
なお、「割込み音声」は、上述した誘導音声およびＥＴＣ音声に限らず、他車両との通信により取得し、自車両において出力される音声であってもよいし、人工知能（ＡＩ: Artificial Intelligence）に出力される音声であってもよい。
【００３３】
出力制御部８０は、オーディオ部１０またはナビ音声部５０により出力されたデータを取得し、取得したデータをスピーカ８２に出力させる。出力制御部８０は、例えば、取得したデータに対して設定された音量で、スピーカ８２にデータに応じた音声を出力させる。スピーカ８２は、出力制御部８０の制御に基づいて、音声を出力する。
【００３４】
［制御装置］
制御装置９０は、例えば、操作部９２と、操作状態判定部９４と、制御部９６とを備える。操作部９２は、音源部２０のうちから、スピーカ８２に出力させる音源を乗員に選択させる選択部や、スピーカ８２から出力される音声の音量を調整する調整部等を含む。音声の音量を調整する調整部は、回転させることにより音量を調整する調整ツマミであってもよいし、押下式のボタンであってもよい。また、操作部９２は、タッチパネルであってもよい。以下の説明では、音量の調整は「調整ツマミ」を回転させることにより行われるものとして説明する。
【００３５】
操作状態判定部９４は、例えば、操作部９２に対する操作の状態を検知する。操作の状態とは、例えば、音量の調整が行われていることや、音量の調整度合等である。
【００３６】
制御部９６は、操作部９２に対する操作によって選択された音源に基づいて、スピーカ８２に出力させる音声の種別や、音声の音量を制御する。また、制御部９６は、操作状態判定部９４により取得された操作状態に基づいて、オーディオ部１０またはナビ音声部５０により再生されている音源に応じて操作部９２による音量の制御対象を変更する。
【００３７】
制御部９６は、メディアの音声と割込み音声とが同時に再生されている状態において操作状態判定部９４により調整ツマミの操作が開始されたと判定された場合には、制御対象として割込み音声を優先する。なお、同時に再生されている状態とは、例えば、オーディオ部１０の電源がオン状態であり調整ツマミに対する操作によって音量の調整を受け付ける状態、および割込み音声の音声が再生されている状態である。制御部９６は、メディアの音声のみまたは割込み音声のみが再生されている状態において操作状態判定部９４により調整ツマミの操作が開始されたと判定された場合には、制御対象として再生されている音声を優先する。
【００３８】
ただし、制御部９６は、操作状態判定部９４により操作部９２の操作が継続して行われていると判定されている間において、再生される音源が変更された場合であっても操作部９２の操作による音量の制御対象の切り替えを禁止する。以下、具体的な処理について説明する。
【００３９】
［具体的な処理１］
割込み音声が出力された際に、行っていた調整ツマミに対する操作を中断しなかった場合の処理について説明する。図２は、音声の出力および操作部９２の操作の変化を示す図である。図示する例は、メディア音声の音量の調整が可能な状態において、操作が行われた際の状態を示している。メディア音声の音量の調整が可能な状態とは、実際にメディア音声が出力されている状態、およびメディア音声が出力されていない状態も含む。
【００４０】
図２（ａ）は、割込み音声の有無を示す図である。図２（ａ）の縦軸は、割込み音声のオン状態（ＯＮ）または割込み音声のオフ状態（ＯＦＦ）を示している。割込み音声のオン状態とは、例えば、割込み音声が出力されている状態である。図２（ａ）の横軸は、時間を示している。後述する図２（ｂ）〜（ｄ）の横軸も同様に時間を示している。図２（ｂ）は、調整ツマミの操作状態を示す図である。図２（ｂ）の縦軸は、基準位置（ゼロ）に対して操作された度合を示している。
【００４１】
図２（ｃ）は、メディア音声の音量の変化を示す図である。図２（ｃ）の縦軸は、基準音量（ゼロ）に対する音量を示している。図２（ｄ）は、割込み音声の音量の変化を示す図である。図２（ｄ）の縦軸は、基準音量（ゼロ）に対する音量を示している。
【００４２】
例えば、時刻Ｔ１からＴ２までの間において、図２（ａ）に示すように、割込み音声がオン状態である。この場合、時刻Ｔ１以前から時刻Ｔ２以後において、図２（ｂ）に示すように、継続的に音量が大きくなるように調整ツマミが操作されていると、図２（ｃ）に示すように、メディア音声の音量が大きくなるように変化する。すなわち、図２（ｄ）に示すように、割込み音声がオン状態であり、且つ割込み音声がオン状態になる前から調整ツマミが操作されている場合には、操作対象を切り替えずにメディア音声の音量が調整される。
【００４３】
上述したように、割込み音声が出力されている場合に、継続的に調整ツマミが操作されている場合、操作者はメディア音声の音量を調整する意思があるとして、メディア音声の音量を調整する。このように、音響システム１は、操作者の意思を反映した制御を行うことができる。
【００４４】
［具体的な処理２］
割込み音声が出力された際に、行っていた調整ツマミに対する操作を中断した場合の処理について説明する。図３は、音声の出力および操作部９２の操作の変化を示す図である。図示する例は、メディア音声の音量の調整が可能な状態において、操作が行われた際の状態を示している。図３（ａ）〜（ｄ）が示すグラフの内容は、前述した図２（ａ）〜（ｄ）で示したグラフの内容と同様である。
【００４５】
例えば、時刻Ｔ１１からＴ１４までの間において、図３（ａ）に示すように、割込み音声がオン状態である。この場合において、時刻Ｔ１１以前から時刻Ｔ１２まで、図２（ｂ）に示すように、音量が大きくなるように調整ツマミが操作され、Ｔ１２を過ぎた時点から時刻Ｔ１３までの時間（閾値時間αよりも長い時間）において調整ツマミの操作が中断されたものとする。そして、時刻Ｔ１３において、図２（ｂ）〜（ｄ）に示すように、再度、調整ツマミが操作されると、メディア音声の音量は変化せずに、割込み音声の音量が大きくなる。すなわち、調整ツマミの操作が中断され、且つ閾値時間αが経過後、操作対象が割込み音声に切り替わる。
【００４６】
また、時刻１４以降においても、調整ツマミに対する操作が継続され、且つ割込み音声がオフ状態に遷移してから閾値時間βが経過した後、上記の調整ツマミに対する操作に応じてメディア音声の音量が大きくなる。すなわち、割込み音声がオフ状態に遷移してから、閾値時間βが経過する前は操作対象の切り替えは禁止され、閾値時間βが経過後に操作対象の切り替えが許可される。
【００４７】
上述したように、割込み音声が出力された後、行われていた操作が中断され、閾値時間αが経過した後に操作が再開された場合、操作者は割込み音声の音量を調整する意思があるとして、操作対象をメディア音声から割込み音声に切り替える。また、割込み音声の出力が終了した後に、閾値時間β以上継続して調整ツマミに対する操作が継続されている場合、操作者はメディアの音量を調整する意思があるとして、操作対象を割込み音声からメディア音声に切り替える。このように、音響システム１は、操作者の意思を反映した制御を行うことができる。
【００４８】
［比較例］
図４は、比較例の音声の出力および操作部の操作の変化を示す図である。図４は、上述した図２で説明したように割込み音声が出力された際に、行っていた調整ツマミに対する操作を中断しなかった場合の処理である。
【００４９】
時刻Ｔ１以前から時刻Ｔ２以後において、図４（ｂ）に示すように、継続的に音量が大きくなるように調整ツマミが操作されると、図４（ｃ）に示すように、割込み音声の音量が大きくなるように変化する。すなわち、図２（ｄ）に示すように、割込み音声がオン状態であり、且つ割込み音声がオン状態になる前から調整ツマミが操作されている場合、操作者の意思とは無関係に割込み音声がオン状態になると同時に操作対象が切り替わる。
【００５０】
比較例では、操作者は、メディア音声の音量を調整する意思があった場合であっても、操作対象が切り替わることにより、割込み音声の音量が調整されてしまう場合があった。このように、比較例の音響システムは、調整操作の対象の切り替えが適切なタイミングで行われているとは限らず、操作者の意図とは異なる制御が行われてしまう場合があった。すなわち操作者の意思を反映した制御を行うことができない場合があった。
【００５１】
これに対して、本実施形態の音響システム１は、割込み音声が出力された場合であっても、操作が継続されている場合、操作対象を切り替えることなく、メディア音声の出力を大きくする。この結果、操作者の意思を反映した制御を行うことができる。
【００５２】
［フローチャート］
図５は、音響システム１により実行される処理の流れを示すフローチャートである。本フローチャートは、上述した図３で説明した音声の出力および操作部の操作に対応するフローチャートである。
【００５３】
まず、操作状態判定部９４が、調整ツマミが操作されたか否かを判定する（ステップＳ１００）。すなわち初期状態から操作が開始されるまでは、このままの状態が保持される。調整ツマミが操作されると、制御部９６は、割込み音声の開始要求が存在するか否かを判定する（ステップＳ１０２）。割込み音声の開始要求とは、制御装置９０に対してナビ音声部５０により出力される割込み音声の出力を要求する信号である。
【００５４】
割込み音声の開始要求が存在しない場合、制御部９６は、閾値時間βが経過したか否かを判定する（ステップＳ１０４）。閾値時間βが経過していない場合、制御部９６は、調整ツマミに対する操作を割込み音声およびオーディオ音声に反映することを禁止する（ステップＳ１１４）。
【００５５】
閾値時間βが経過している場合、制御部９６は、調整ツマミに対する操作を割込み音声に反映することを禁止し（ステップＳ１０６）、調整ツマミに対する操作をオーディオ音声に反映する（ステップＳ１０８）。すなわち、制御部９６は、割込み音声の再生中に操作状態判定部９４により調整ツマミの操作が開始されたと判定され、且つ調整ツマミの操作が継続して行われている間に割込み音声が終了したと判定された場合において、割込み音声の終了から閾値時間β（第２の所定時間）が経過するまでは割込み音声およびメディア音声に対する音量の制御を禁止する。また、制御部９６は、割込み音声の終了から閾値時間βが経過した後は、操作状態判定部９４により調整ツマミの操作が中断していないと判定されている場合であっても制御対象の切り替えの禁止を解除する。上述した処理は、図３における時刻Ｔ１１前の操作および制御状態に対応する処理である。
【００５６】
次に、制御部９６は、調整ツマミに対する操作が中断されたか否かを判定する（ステップＳ１１０）。調整ツマミに対する操作が中断されていない場合、ステップＳ１０６の処理に進む。例えば、このとき図３の時刻Ｔ１１から時刻Ｔ１２の間の時間のように割込み音声が出力されている場合であっても、調整ツマミに対する操作が継続されている場合、操作対象は切り替えられない。
【００５７】
調整ツマミに対する操作が中断された場合、制御部９６は、閾値時間αが経過したか否かを判定する（ステップＳ１１２）。閾値時間αが経過していない場合、ステップＳ１０６の処理に進み、閾値時間αが経過した場合、ステップＳ１００の処理に進む。上述したように、制御部９６は、操作状態判定部９４により調整ツマミの操作が中断したときから閾値時間α（第１の所定時間）が経過するまでの間は、調整ツマミの操作が継続していると判定し、制御対象の切り替えを禁止する。
【００５８】
ここでステップＳ１０６〜Ｓ１１２までの処理を要約する。オーディオ音声に対する調整ツマミの操作が継続されている間は、ステップＳ１０６〜Ｓ１１０の処理が繰り返される。この繰り返し間は、調整ツマミの操作に対する制御対象は、オーディオ音声に固定される。これに対して、ステップＳ１１０で調整ツマミに対する操作が中断され、且つステップＳ１１２で閾値時間αが経過すると、ステップＳ１０６〜Ｓ１１０の処理が繰り返さることが終了する。そして、ステップＳ１００の処理に戻る。
【００５９】
操作状態判定部９４が、調整ツマミが操作されたか否かを判定する（ステップＳ１００）。調整ツマミが操作されると、制御部９６は、割込み音声が出力されているか否かを判定する（ステップＳ１０２）。割込み音声の開始要求がされている場合、制御部９６は、調整ツマミに対する操作をオーディオ音声に反映することを禁止する（ステップＳ１１６）。次に、制御部９６は、調整ツマミに対する操作を割込み音声に反映する（ステップＳ１１８）。
【００６０】
上述した処理（ステップＳ１０２、Ｓ１１６、Ｓ１１８）は、上述した図３における時刻Ｔ１３からＴ１４までの時間に行われる処理である。
【００６１】
次に、制御部９６は、調整ツマミに対する操作が行われている否かを判定する（ステップＳ１２０）。調整ツマミに対する操作が行われている場合、ステップＳ１０２の処理に進む。調整ツマミに対する操作が行われていない場合、制御部９６は、閾値時間αが経過したか否かを判定する（ステップＳ１２２）。閾値時間αが経過していない場合、ステップＳ１２０に戻り、閾値時間αが経過した場合、ステップＳ１００に戻る。
【００６２】
ここでステップＳ１１６〜Ｓ１２２までの処理を要約する。割込み音声のオン状態が継続し、且つ調整ツマミの操作が継続されている間は、ステップＳ１１６〜Ｓ１２０の処理が繰り返される。この繰り返し間、調整ツマミの操作に対する制御対象は、割込み音声に固定される。これに対して、ステップＳ１２０で調整ツマミに対する操作が中断され、且つステップＳ１２２で閾値時間αが経過すると、ステップＳ１１６〜Ｓ１２０の処理が繰り返さることが終了する。そして、ステップＳ１００の処理に戻る。
【００６３】
また、調整ツマミに対する操作が継続して行われている間（ステップＳ１１６〜Ｓ１２０の処理が繰り返されている間）に、割込み音声の出力が終了した場合（ステップＳ１０２「ＮＯ」）、ステップＳ１１６〜Ｓ１２０の処理が繰り返さることが終了し、ステップＳ１０４の処理に進む。上述したように本フローチャートの１ルーチンの処理は終了する。
【００６４】
なお、割込み音声が出力されている際に、調整ツマミが操作された場合、上記のフローチャートでは、ステップＳ１００、Ｓ１０２、Ｓ１１６〜Ｓ１２２の処理が行われる。
【００６５】
上述した処理が実行されることにより、操作者の意思を反映した制御を行うことができる。
【００６６】
以上説明した第１の実施形態によれば、制御部９６が、操作状態判定部９４により操作部９２の操作が継続して行われていると判定されている間において、再生される音源が変更された場合であっても操作部９２の操作による音量の制御対象の切り替えを禁止することにより、操作者の意図した操作を行うことができる。
【００６７】
＜第２実施形態＞
第２実施形態について説明する。第２実施形態は、オーディオ音声の音量を調整中に割込み音声の開始要求があった場合に、開始要求に対応する割込み音声の優先度に基づいて、割込み音声を出力させたり、出力を待機させたりする。以下、第１の実施形態との相違点を中心に説明する。
【００６８】
図６は、第２実施形態の音響システム１により実行される処理の流れを示すフローチャートである。図６のステップＳ２００〜Ｓ２０８、およびＳ２２４〜Ｓ２３２の処理は、それぞれ図５のステップＳ１００〜Ｓ１０８、およびＳ１１４〜Ｓ１２２の処理と同様のため説明を省略する。
【００６９】
ステップＳ２０８の処理の後、制御部９６は、割込み音声の開始要求がされているか否かを判定する（ステップＳ２１０）。割込み音声の開始要求がなされた場合、制御部９６は、割込み音声の優先度が所定度合以上であるか否かを判定する（ステップＳ２１２）。割込み音声の要求には、割込み音声に対応付けられた優先度が付与されている。割込み音声の優先度は、割込み音声に対して付与され、この優先度と割込み音声とは互いに対応付けられて制御装置９０の記憶装置に記憶されている。制御部９６は、記憶装置に記憶された情報に基づいて、優先度が所定度合以上であるか否かを判定する。
【００７０】
優先度が所定度合以上の割込み音声とは、例えば、目的地までの経路を乗員に通知する音声（分岐案内を示す音声）や、車両の挙動に関する音声である。これに対して、優先度が所定度合未満の割込み音声とは、例えば、ＥＴＣで利用した料金を通知する音声や、車両の挙動との関連性が希薄な通知である。
【００７１】
なお、音響システム１が自動運転車両に搭載され適用される場合、優先度が所定度合以上の割込み音声は、自動運転に関して乗員に通知する音声であってもよい。この音声は、例えば、乗員にステアリングホールを把持（操作）するように要求する通知や、自動運転において行われる車両の挙動（加減速や、曲がる、停車など）を示す通知である。
【００７２】
優先度が所定度合以上である場合、割込み音声は出力され、ステップＳ２０６の処理に戻る。優先度が所定度合未満である場合、制御部９６は、割込み音声の出力を待機させ（ステップＳ２１４）、ステップＳ２１６の処理に進む。制御部９６は、メディア音声の音量制御中に割込み音声の開始要求が出力されたと判定した場合において、操作状態判定部９４により調整ツマミの操作が継続して行われていると判定されている間は、割込み音声の出力を待機させる。
【００７３】
ステップＳ２１０の処理で、割込み音声の開始要求がなされていない場合、制御部９６は、調整ツマミの操作が中断されたか否かを判定する（ステップＳ２１６）。調整ツマミの操作が中断されていない場合、ステップＳ２０６の処理に進む。
【００７４】
調整ツマミの操作が中断された場合、制御部９６は、閾値時間αが経過したか否かを判定する（ステップＳ２１８）。閾値時間αが経過していない場合、ステップＳ２０６の処理に戻る。閾値時間αが経過した場合、制御部９６は、出力を待機させた割込み音声が存在するか否かを判定する（ステップＳ２２０）。出力を待機させた割込み音声が存在しない場合、ステップＳ２００の処理に進む。出力を待機させた割込み音声が存在する場合、制御部９６は、待機させた割込み音声をスピーカ８２に出力させる（ステップＳ２２２）。これにより本フローチャートの１ルーチンの処理は終了する。
【００７５】
上述した処理が実行されることにより、操作者の意思とは異なる制御が行われることを抑制することができる。
【００７６】
以上説明した第２の実施形態によれば、制御部９６は、メディアの音声の音量制御中に割込み音声の割り込みが発生したと判定した場合、操作状態判定部９４により調整ツマミの操作が継続して行われていると判定されている間は、割込み音声の出力を待機させることにより、操作者の意思とは異なる制御が行われることを抑制することができる。
【００７７】
なお、上述した実施形態では、音源は、所定のメディアの音声と所定の機器による割込み音声とを含むものとして説明したが、これに限られず、第１種別の音声と第２種別の音声とを含んでもよい。例えば、第１種別の音声を「メディア音声」とし、第２種別の音声
を「自動運転に関する音声」としてもよい。「自動運転に関する音声」とは、自動運転において行われる車両の挙動を示す音声である。また、第１種別の音声を「割込み音声」としてもよい。
【００７８】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００７９】
１‥音響システム、１０‥オーディオ部、２０‥音源部２１‥ラジオチューナ、５０‥ナビ音声部、６０‥割込み音声出力部、８０‥出力制御部、８２‥スピーカ、９０‥制御装置、９２‥操作部、９４‥操作状態判定部、９６‥制御部
【図１】
2019047161.tif 000003
【図２】
2019047161.tif 000004
【図３】
2019047161.tif 000005
【図４】
2019047161.tif 000006
【図５】
2019047161.tif 000007
【図６】
2019047161.tif 000008